(57)【要約】【課題】  水中で餌魚の動きが不自然にならず、しかも餌魚の種類及び大きさを問わず使用することができる釣り用仕掛けを提供する。【解決手段】  釣り用仕掛け１は、ハリス１３と、前記ハリス１３の一端に設けられ、餌魚を取り付けることが可能な釣針１２と、一端に前記ハリスの１３他端が接続される棒状部材１１とを備えている。前記棒状部材１１は、他端側から前記餌魚を突き通すことにより、前記餌魚を貫通する。【選択図】    図１
2010227081.tif 000002
【特許請求の範囲】
【請求項１】
ハリスと、
前記ハリスの一端に設けられ、餌魚を取り付けることが可能な釣針と、
一端に前記ハリスの他端が接続される棒状部材とを備え、
前記棒状部材は、他端側から前記餌魚を突き通すことにより、前記餌魚を貫通するように構成されている、釣り用仕掛け。
【請求項２】
前記棒状部材の他端は、道糸側に接続される連結具に着脱可能に接続されるように構成されている、請求項１に記載の釣り用仕掛け。
【請求項３】
一端が前記道糸又は前記連結具に接続される枝糸と、
前記枝糸の他端に設けられ、前記餌魚の前記釣針が取り付けられる部位とは異なる部位に取り付けることが可能な補助用釣針とをさらに備え、
前記釣針と前記補助用釣針とによって前記餌魚を保持するように構成されている、請求項２に記載の釣り用仕掛け。
【請求項４】
前記棒状部材は、前記連結具と前記棒状部材との接続位置から前記棒状部材の一端までの長さを調節する調節機構を有している、請求項３に記載の釣り用仕掛け。
【請求項５】
前記棒状部材の他端は、長手方向の異なる位置で前記連結具と接続可能なように構成されている、請求項４に記載の釣り用仕掛け。
【請求項６】
前記棒状部材は、前記餌魚の体長方向と交差する方向に前記餌魚を突き通すことにより、前記餌魚を貫通するように構成されている、請求項１乃至５の何れかに記載の釣り用仕掛け。
【発明の詳細な説明】
【技術分野】
【０００１】
本発明は、魚釣りに用いられる釣り用仕掛けに関する。
【背景技術】
【０００２】
鯵や鰯等の小魚を餌として用いる釣り用仕掛けとして、釣り針が細長い金属製の線状部材を有しており、餌となる魚（餌魚）の体長に沿って当該線状部材を突き刺すことによって餌魚の取り付けを行うものが提案されている（例えば、特許文献１及び２を参照。）。これらの釣り用仕掛けによれば、餌魚の全長に亘ってその体内に線状部材が存在することになるため、餌魚を確実に固定することができる。
【先行技術文献】
【特許文献】
【０００３】
【特許文献１】特開平８−１６３９３９号公報
【特許文献２】特開２００６−２８０３１５号公報
【発明の概要】
【発明が解決しようとする課題】
【０００４】
ところで、生きた魚は体を振りながら泳いでいるため、釣り用仕掛けに取り付けられた餌魚も水中で体を振る動作ができることが望ましい。しかしながら、上記の従来の釣り用仕掛けを用いた場合、背骨に沿って線状部材が突き刺されているために餌魚は水中で体を振ることができず、その動きが不自然になる等の問題があった。
また、餌魚の体長によっては突き刺すのが困難となったり、餌魚の体長に応じて長さの異なる線状部材を用意する必要がある等の不都合があった。
【０００５】
本発明は斯かる事情に鑑みてなされたものであり、その主たる目的は、上記課題を解決することができる釣り用仕掛けを提供することにある。
【課題を解決するための手段】
【０００６】
上述した課題を解決するために、本発明の一の態様の釣り用仕掛けは、ハリスと、前記ハリスの一端に設けられ、餌魚を取り付けることが可能な釣針と、一端に前記ハリスの他端が接続される棒状部材とを備え、前記棒状部材は、他端側から前記餌魚を突き通すことにより、前記餌魚を貫通するように構成されている。
【０００７】
上記態様の釣り用仕掛けにおいて、前記棒状部材の他端は、道糸側に接続される連結具に着脱可能に接続されるように構成されていてもよい。
【０００８】
また、上記態様の釣り用仕掛けにおいて、一端が前記道糸又は前記連結具に接続される枝糸と、前記枝糸の他端に設けられ、前記餌魚の前記釣針が取り付けられる部位とは異なる部位に取り付けることが可能な補助用釣針とをさらに備え、前記釣針と前記補助用釣針とによって前記餌魚を保持するように構成されていてもよい。
【０００９】
また、上記態様の釣り用仕掛けにおいて、前記棒状部材は、前記連結具と前記棒状部材との接続位置から前記棒状部材の一端までの長さを調節する調節機構を有していてもよい。
【００１０】
また、上記態様の釣り用仕掛けにおいて、前記棒状部材の他端は、長手方向の異なる位置で前記連結具と接続可能なように構成されていてもよい。
【００１１】
さらに、上記態様の釣り用仕掛けにおいて、前記棒状部材は、前記餌魚の体長方向と交差する方向に前記餌魚を突き通すことにより、前記餌魚を貫通するように構成されていてもよい。
【発明の効果】
【００１２】
本発明に係る釣り用仕掛けによれば、水中で餌魚の動きが不自然にならず、しかも餌魚の種類及び大きさを問わず使用することができる。
【図面の簡単な説明】
【００１３】
【図１】本発明の実施の形態１に係る釣り用仕掛けの構成を示す正面図。
【図２】本発明の実施の形態１に係る釣り用仕掛けの使用状態を示す正面図。
【図３】本発明の実施の形態２に係る釣り用仕掛けの構成を示す正面図。
【図４】本発明の実施の形態２に係る釣り用仕掛けの使用状態を示す正面図。
【図５】本発明の実施の形態３に係る釣り用仕掛けの構成を示す正面図。
【発明を実施するための形態】
【００１４】
本発明の釣り用仕掛けは、特に太刀魚及び烏賊等を釣り対象とした場合に用いられるものである。下記の各実施の形態では、釣り対象の魚類として太刀魚を例に挙げて説明する。
以下、本発明の好ましい実施の形態を、図面を参照しながら説明する。
【００１５】
（実施の形態１）
［釣り用仕掛けの構成］
図１は、実施の形態１に係る釣り用仕掛け１の構成を示す正面図である。また、図２は、実施の形態１に係る釣り用仕掛け１の使用状態を示す正面図である。
図１に示すとおり、実施の形態１に係る釣り用仕掛け１は、鰺又は鰯等の餌魚を突き通すことが可能な棒状部材１１と、餌魚を保持する釣針１２と、棒状部材１１及び釣針１２を両端に取り付けたハリス１３とを備えている。
【００１６】
釣針１２は、４本の針を放射状に備えて構成されており、これらの針先または軸部分等に餌魚２０を取り付けることによって、餌魚２０を保持することができる。
【００１７】
上記の釣針１２のチモトにはハリス１３の一端が結びつけられている。このハリス１３はフロロカーボン等の素材で構成されており、その長さは５乃至７ｃｍ程度である。
【００１８】
棒状部材１１は、例えば幅３ｍｍ、厚み１ｍｍ、長さ３ｃｍ程度の細長い板状の金属で構成されており、その一端部はハリス１３の他端と繋がれ、その他端部は餌魚２０を突き通すことができるように先端が先鋭となっている。この他端部には、後述するようにして連結具１５と接続するための孔１４が設けられている。
【００１９】
なお、棒状部材１１の素材は、餌魚２０を突き通し得る強度を有していれば良く、上記の金属の他にも、例えばプラスチック等であってもよい。また、本実施の形態では、棒状部材１１の他端部の先端が先鋭となっているが、これに限定されるわけではなく、餌魚２０を突き通すことができれば他の形状（例えば丸みを帯びた形状等）であってもよい。さらに、棒状部材１１は細長い板状でなくてもよく、例えば細長い円柱状等であってもよい。
【００２０】
棒状部材１１は、餌魚２０を体長方向と交差する方向に突き通すことが可能な長さを有している。そのため、棒状部材１１の長さは、餌魚２０の体高及び体幅よりも長くなければならない。餌魚２０となる鰺及び鰯等の小魚は、体高が約２乃至５ｃｍ程度、体幅は約１乃至２ｃｍ程度のサイズが標準的であるため、棒状部材１１の長さは最低１ｃｍである必要がある。ただし、長さが１ｃｍ程度の場合は短すぎてその扱いが困難になるものと考えられるため、２ｃｍ以上であることが好ましい。また、長すぎる場合も、餌魚２０を突き通す作業が困難となったり、収納し難くなったりする等、その取り扱いが困難になるものと考えられるため、１０ｃｍ以下であることが好ましい。強度等を考慮すれば、５ｃｍ以下であることがより好ましい。
【００２１】
以上のように構成された本実施の形態の釣り用仕掛け１は、図１に示すように、道糸１６と接続された連結具１５に接続される。
【００２２】
連結具１５は、ナス型のフック１５ａと当該ナス型のフック１５ａに連結されたたる型サルカン１５ｂとで構成されている。フック１５ａは、固定部１５ａ−１とその固定部１５ａ−１に対して可動することができる可動部１５ａ−２とを有している。
【００２３】
たる型サルカン１５ｂは、環状体をなす両端部を有している。たる型サルカン１５ｂの一端部はフック１５ａと連結されており、その他端部は道糸１６と繋がれている。なお、連結具１５の構成及び形状は、棒状部材１１及び道糸１６を連結することができれば、他の構成及び形状でもよい。
【００２４】
連結具１５のフック１５ａが備える固定部１５ａ−１の先端を、棒状部材１１に設けられた孔１４に挿通することにより、釣り用仕掛け１と連結具１５とを接続することができる。また、当該固定部１５ａ−１の先端を孔１４から外すことによって、釣り用仕掛け１を連結具１５から取り外すことができる。このように、釣り用仕掛け１は連結具１５と着脱可能に接続される。そのため、例えば複数の釣り用仕掛け１を予め用意しておき、これらの釣り用仕掛け１を使用状況に応じて随時交換しながら釣りを行うこと等が可能になる。
【００２５】
［釣り用仕掛けの使用方法］
次に、図２を参照しながら、実施の形態１に係る釣り用仕掛け１の使用方法について説明する。
【００２６】
使用者はまず、釣り用仕掛け１が連結具１５に接続されていない状態で、棒状部材１１のハリス１３が接続されていない側の端部（先鋭部）を餌魚２０の腹部へ当てて、その後当該端部が餌魚２０の背部側へ突き抜けるように、餌魚２０に対して棒状部材１１を突き刺す。そして、棒状部材１１が餌魚２０を貫通した（突き通した）後に、当該端部に設けられている孔１４に連結具１５のフック１５ａが備える固定部１５ａ−１の先端を挿通することによって、釣り用仕掛け１と連結具１５とを接続する。
【００２７】
このようにして棒状部材１１が突き通された餌魚２０の腹部は、釣針１２の４本の針先によって左右から保持される。このとき、釣針１２の針先で餌魚２０の腹部を突き刺してもよいし、突き刺さなくともよい。餌魚２０の種類及び大きさ等に合わせて、その体勢が安定しやすいように、適宜選択すればよい。
【００２８】
棒状部材１１が突き通されることによって形成された餌魚２０内の貫通孔には、ハリス１３の一部及び釣針１２の軸の一部が挿通された状態となっている。そのため、餌魚２０は、釣針１２の針先のみではなく、ハリス１３及び釣針１２の軸の一部によっても保持されることになるため、より安定した状態を保つことができる。なお、釣針１２の軸の一部は上記のとおり餌魚２０内に挿通されていてもよいが、挿通されてなくてもよい。また、釣針１２の形状によってはその針先が餌魚２０の腹部に到達しない場合もあるが、その場合でも釣針１２のチモト部分で餌魚２０を保持することが可能である。
【００２９】
なお、上記では、棒状部材１１を餌魚２０の腹部から背部へ突き通しているが、突き通す方向は餌魚２０の体長方向と交差する方向であればよく、これに限定されるわけではない。餌魚２０の大きさ、形状及び種類等によって、餌魚２０が安定して保持されるようにその方向を変えてもよい。例えば、餌魚２０の背部から腹部へ突き通すようにしてもよく、またその体側面を左右方向に突き通してもよい。
【００３０】
上記のとおり、釣り用仕掛け１では、棒状部材１１を用いて、餌魚２０をその体長方向に交差する方向に突き通した後にその餌魚２０を釣針１２に取り付けることによって、釣針１２及びハリス１３により餌魚２０を安定して保持することができる。
【００３１】
また、餌魚２０を突き通す方向が従来のように体長方向ではなく、体長方向に交差する方向であるため、突き通す距離が従来と比べて短くなるので、餌魚２０の身が柔らかい場合又は餌魚２０の体長が大きい場合であっても、突き通す途中で餌魚２０の身を崩してしまう等の不都合が生じる確率を低くすることができる。
【００３２】
なお、魚の場合、一般的に体長は個体差が大きいのに対し、体高及び体幅は個体差が小さい。そのため、従来のように線状部材を餌魚の体長方向に突き通す場合であれば異なる長さの当該部材を用意する必要性が高かったが、本実施の形態ではその必要性が乏しく、同じ長さの棒状部材１１を用いて様々な餌魚２０を取り付けることが可能である。
【００３３】
また、釣り用仕掛け１の場合、従来のように餌魚の背骨に沿って固い部材が設けられているわけではないため、取り付けられた餌魚２０は水中で水の流れに合わせて体を左右に振ることができる。そのため、太刀魚は警戒せず餌魚２０に食いつくようになり、釣果の向上が図れる。
【００３４】
（実施の形態２）
［釣り用仕掛けの構成］
図３は、実施の形態２に係る釣り用仕掛け３０の構成を示す正面図である。また、図４は、実施の形態２に係る釣り用仕掛け３０の使用状態を示す正面図である。
図３に示すとおり、実施の形態２に係る釣り用仕掛け３０は、鰺又は鰯等の餌魚を突き通すことが可能な棒状部材４１と、餌魚を保持する釣針４２と、棒状部材４１及び釣針４２を両端に取り付けたハリス（幹糸）４３と、道糸４６及び棒状部材４１を接続する連結具４５と、餌魚を補助的に保持する補助用釣針４７ａ及び４７ｂと、当該補助用釣針４７ａ及び４７ｂをそれぞれ連結具４５に接続するハリス（枝糸）４８ａ及び４８ｂとを備えている。
【００３５】
棒状部材４１は、幹糸４３と繋がれている一端部と、餌魚を突き通すことができるように尖鋭になっている他端部とを有している。その他端部側には連結具４５と接続するための孔４４ａ及び４４ｂが長手方向に２つ並べて設けられている。なお、棒状部材４１の構成は、上記で説明した２つの孔４４ａ及び４４ｂが設けられている以外、実施の形態１で説明した棒状部材１１と同様であるので説明を省略する。また、釣針４２及び幹糸４３も、実施の形態１で説明した釣針１２及びハリス１３と同様であるので、説明を省略する。
【００３６】
上記の棒状部材４１は連結具４５に接続される。連結具４５は、実施の形態１と同様に、ナス型のフック４５ａと当該ナス型のフック４５ａに連結されたたる型サルカン４５ｂとで構成されている。フック４５ａ及びたる型サルカン４５ｂはそれぞれ、実施の形態１で説明したフック１５ａ及びたる型サルカン１５ｂと同様であるので、説明を省略する。
【００３７】
棒状部材４１と連結具４５とを連結する際は、棒状部材４１に設けられている孔４４ａ及び４４ｂのどちらかを選択し、その選択した孔に連結具４５のフック４５ａの固定部４５ａ−１の先端を挿通することにより、棒状部材４１を連結具４５に留める。これにより棒状部材４１と連結具４５との接続位置から棒状部材４１の一端部までの距離ａ（以下、単に距離ａという）を調節することができる。なお、本実施の形態では、棒状部材４１に２つの孔すなわち孔４４ａ及び４４ｂが設けられているが、孔の数はこれに限定されるわけではなく、３つ以上であってもよい。また、距離ａを調節できれば他の構成であってもよく、例えば棒状部材４１が伸縮自在な構成となっていてもよい。
【００３８】
補助用釣針４７ａ及び４７ｂは、１本の針を備えており、釣針４２が保持している餌魚２０の部位とは異なる部位にそれぞれ取り付けられる。そのため、餌魚２０は、釣針４２、補助用釣針４７ａ及び４７ｂによって保持されることになる。
【００３９】
上記の補助用釣針４７ａ及び４７ｂのチモトには枝糸４８ａ及び４８ｂの一端がそれぞれ結び付けられている。この枝糸４８ａ及び４８ｂは、幹糸４３と同様にフロロカーボン等の素材で構成されており、その他端は連結具４５に接続される。具体的には、たる型サルカン４５ｂの一端部の左右にフック４５ａを隔ててそれぞれ結び付けられている。
【００４０】
枝糸４８ａ及び４８ｂは、補助用釣針４７ａ及び４７ｂが釣針４２とともに餌魚２０を保持することが可能な程度の長さが必要になる。例えば、フック４５ａとたる型サルカン４５ｂとの連結位置から幹糸４３の一端までの距離と同程度の長さが必要であり、１０乃至１７ｃｍ程度であればよい。
【００４１】
［釣り用仕掛けの使用方法］
次に、図４を参照しながら実施の形態２に係る釣り用仕掛け３０の使用方法について説明する。
【００４２】
使用者はまず、実施の形態１の場合と同様に、棒状部材４１を餌魚２０のその腹部から背部へ突き通す。そして、棒状部材４１が突き通された餌魚２０の腹部を、釣針４２の４本の針先によって左右から取り付け餌魚２０を保持する。このとき、釣針４２の針先で餌魚２０の腹部を突き刺してもよいし、突き刺さなくともよい。餌魚２０の種類及び大きさ等に合わせて、その体勢が安定しやすいように、適宜選択すればよい。
【００４３】
このように釣針４２で餌魚２０の腹部を保持した後、補助用釣針４７ａ及び４７ｂを餌魚２０のさらに別の部位に取り付ける。例えば補助用釣針４７ａの針先で、餌魚２０の頭部、より詳しくは、目、鼻及びエラ等を突き刺し、補助用釣針４７ｂの針先で、餌魚２０の尾部を突き刺すことにより、補助用釣針４７ａ及び４７ｂを餌魚２０に取り付ける。
【００４４】
そして、釣針４２、補助用釣針４７ａ及び４７ｂを餌魚２０のその腹部、頭部及び尾部のそれぞれに取り付けた後で、棒状部材４１を連結具４５に接続する。このとき、餌魚２０を安定して保持し、また幹糸４３が弛まないように、棒状部材４１に設けられている孔４４ａ及び４４ｂのどちらかを選択し、選択した孔に連結具１５のフック４５ａが備える固定部４５ａ−１の先端を挿通し、棒状部材４１を連結具４５に留める。
【００４５】
なお、餌魚２０の頭部及び尾部のそれぞれに補助用釣針４７ａ及び４７ｂを取り付けた際、餌魚２０の体長が大きくなる程、枝糸４８ａと４８ｂとのなす角度が大きくなり、これに伴って枝糸４８ａ及び４８ｂの鉛直方向の距離ｂ（以下、単に距離ｂという）は短くなる。このとき、距離ｂが短くなったことに応じて、距離ａを短くすることができない場合では、棒状部材４１を連結具４５に接続すると、以下の問題が生じる可能性がある。まず、餌魚２０の腹部が釣針４２の針先で突き刺さされた状態で釣針４２に餌魚２０が保持されている場合は、幹糸４３が弛んでしまうことがある。他方、餌魚２０の腹部が釣針４２の針で突き刺されていない状態で釣針４２に餌魚２０が保持されている場合は、釣針４２が下方へ落ちてしまい餌魚２０を保持できなくなってしまう可能性がある。
【００４６】
本実施の形態の場合、上記のとおり距離ａを調節する機構を備えているため、上記のような問題を解消することができる。上記の場合であれば、棒状部材４１に設けられた２つの孔４４ａ及び４４ｂのうち、釣針４２に近い孔４４ｂを選択し、その孔４４ｂに連結具４５を挿通させて連結具４５に棒状部材４１を留めることにより、距離ａを短くする。その結果、幹糸４３が弛んだり、餌魚２０の保持が不安定になったり等の不都合を防止することができる。
【００４７】
一方、餌魚２０の頭部及び尾部のそれぞれに補助用釣針４７ａ及び４７ｂを取り付けた際、餌魚２０の体長が小さくなる程、枝糸４８ａと４８ｂとのなす角度が小さくなり、これに伴って距離ｂは長くなる。このとき、距離ｂが長くなったことに応じて、距離ａを長くすることができない場合では、棒状部材４１を連結具４５に接続した際、枝糸４８ａ及び４８ｂが弛んでしまったり、釣針４２が餌魚２０の腹部を上方へ圧迫してしまうために餌魚２０の身を崩してしまったりする等の問題が生じる可能性がある。
【００４８】
本実施の形態の場合、このような問題も解消可能である。上記の場合であれば、棒状部材４１に設けられた２つの孔４４ａ及び４４ｂのうち、連結具４５に近い孔４４ａを選択し、その孔４４ａに連結具４５を挿通させて連結具４５に棒状部材４１を留めることにより、距離ａを長くする。その結果、枝糸４８ａ及び４８ｂが弛んだり、釣針４２で餌魚２０の身を崩してしまったりする等の不都合を防止することができる。
【００４９】
なお、上記では、釣針４２、補助用釣針４７ａ及び４７ｂを餌魚２０のその腹部、頭部及び尾部のそれぞれに取り付けた後で、棒状部材４１を連結具４５に接続したが、棒状部材４１を連結具４５に接続する順番は上述したような順番でなくともよい。例えば、釣針４２で餌魚２０の腹部を保持した後で、棒状部材４１を連結具４５に接続し、その後で、補助用釣針４７ａ及び４７ｂを餌魚２０のさらに別の部位に取り付けてもよい。このとき、距離ａを調節することが必要になれば、棒状部材４１を連結具４５から一旦外し、棒状部材４１に設けられた２つの孔４４ａ及び４４ｂを再度選択し、選択した孔に連結具４５を挿通させて連結具４５に棒状部材４１を接続してもよい。
【００５０】
このように釣り用仕掛け３０に餌魚２０を取り付けた後、使用者は、その釣り用仕掛け３０を水中に投入して、釣りを行う。
【００５１】
上記のとおり、釣り用仕掛け３０では、釣針４２、補助用釣針４７ａ及び４７ｂが餌魚２０のその腹部、頭部及び尾部のそれぞれに取り付けられる。そのため、これら腹部、頭部及び尾部の何れに太刀魚が食い付いても釣針４２、補助用釣針４７ａ及び４７ｂの何れかで引っ掛けることができるため、釣果の向上を図ることができる。
【００５２】
また、釣り用仕掛け３０では、釣針４２によって餌魚２０の腹部が左右から保持されるだけでなく、補助用釣針４７ａ及び４７ｂによって頭部及び尾部のそれぞれが保持される。そのため、釣り用仕掛け３０は餌魚２０を安定して保持することができる。なお、上記では、補助用釣針４７ａ及び４７ｂを、餌魚２０の頭部及び尾部のそれぞれに取り付けているが、取り付ける場所はこれらの位置に限定されない。餌魚２０の大きさ、形状及び種類によって、餌魚２０がより安定して保持できるように、これらの位置を変えてもよい。
【００５３】
また、実施の形態２に係る釣り用仕掛け３０では、距離ａを調節することによって、幹糸４３を弛まずに使用することができる。餌魚２０の頭部及び尾部は補助用釣針４７ａ及び４７ｂによってそれぞれ保持されているため、餌魚２０の大きさ及び種類等によっては、その腹部（餌魚２０の中央付近）を貫通している幹糸４３が弛む可能性がある。例えば、幹糸４３が弛んだ状態で釣り用仕掛け３０を使用すると、幹糸４３の弛んでいる遊動分だけ、太刀魚が釣針４２に食い付いたときの“あたり”が道糸４６に伝わりにくいため、使用者の釣り用仕掛け３０を引き上げるタイミングが遅れてしまい、食い付いてきた太刀魚を逃がしてしまう可能性が高くなる。そのため、距離ａを調節することによって、幹糸４３を弛まずに使用することにより、あたりが道糸４６に伝わりやすくなるため、釣果の向上を図ることができる。
【００５４】
（実施の形態３）
図５は、実施の形態３に係る釣り用仕掛け５０の構成を示す正面図である。
図５に示すとおり、実施の形態３に係る釣り用仕掛け５０は、鰺又は鰯等の餌魚を突き通すことが可能な棒状部材４１と、餌魚を保持する釣針４２と、棒状部材４１及び釣針４２を両端に取り付けた幹糸４３と、道糸４６及び棒状部材４１を連結する連結具４５と、餌魚を補助的に保持する補助用釣針４７ａ及び４７ｂと、当該補助用釣針４７ａ及び４７ｂをそれぞれ道糸４６に接続する枝糸４８ａ及び４８ｂとを備えている。
【００５５】
実施の形態３に係る釣り用仕掛け５０は、枝糸４８ａ及び４８ｂが直接道糸４６に繋がれている。その他の構成は、実施の形態２の釣り用仕掛け３０と同様であるので、同一の符号を付してその説明を省略する。
【００５６】
実施の形態３に係る釣り用仕掛け５０では、連結具４５とは関係なく道糸４６の所望の位置に枝糸４８ａ及び４８ｂを繋げることができるため、餌魚２０の頭部及び尾部のそれぞれを保持している補助用釣針４７ａ及び４７ｂのチモト部分から餌魚２０の腹部を保持している釣針４２のチモト部分までの鉛直方向の距離ｃ（以下、単に距離ｃという）を調節することができる。以下、この距離ｃの調節について詳述する。なお、以下では、餌魚２０が取り付けられていない場合における補助用釣針４７ａ及び４７ｂのチモト部分の位置が、釣針４２のチモト部分の位置と比べ同じ高さ又は連結具４５側にあるものとする。
【００５７】
枝糸４８ａ及び４８ｂが道糸４６の固定の位置に繋がれている場合、餌魚２０の体長が大きくなる程、餌魚２０の頭部及び尾部のそれぞれに補助用釣針４７ａ及び４７ｂを取り付けた際に枝糸４８ａと４８ｂとのなす角度が大きくなり、これに伴って距離ｃは長くなる。このとき、餌魚２０の腹部が釣針４２の針先で突き刺さされた状態で釣針４２に餌魚２０が保持されている場合は、幹糸４３が弛んでしまうことがある。他方、餌魚２０の腹部が釣針４２の針で突き刺されていない状態で釣針４２に餌魚２０が保持されている場合は、釣針４２が下方へ落ちてしまい餌魚２０を保持できなくなってしまう可能性がある。
【００５８】
本実施の形態の場合、道糸４６の所望の位置に枝糸４８ａ及び４８ｂを繋げることができるため、上記のような問題を解消することができる。上記の場合であれば、枝糸４８ａ及び４８ｂを道糸４６に直接繋ぐ際、幹糸４３が弛まないように、又は餌魚２０の保持が不安定にならないように、より連結具４５側に繋ぐことにより、距離ｃを短くする。その結果、釣り用仕掛け５０は餌魚２０を安定して保持することができる。
【００５９】
一方、餌魚２０の体長が小さくなる程、餌魚２０の頭部及び尾部のそれぞれに補助用釣針４７ａ及び４７ｂを取り付けた際に枝糸４８ａと４８ｂとのなす角度が小さくなり、これに伴って距離ｃは短くなる。このとき、枝糸４８ａ及び４８ｂが弛んでしまったり、釣針４２が餌魚２０の腹部を上方へ圧迫してしまうために餌魚２０の身を崩してしまったりする等の問題が生じる可能性がある。
【００６０】
本実施の形態の場合、このような問題も解消可能である。上記の場合であれば、枝糸４８ａ及び４８ｂを道糸４６に直接繋ぐ際、枝糸４８ａ及び４８ｂが弛まないように、又は釣針４２が餌魚２０の腹部を上方へ圧迫してしまわないように、よりリール（図示せず）側に繋ぐことにより、距離ｃを長くする。その結果、釣り用仕掛け５０は餌魚２０を安定して保持することができる。
【００６１】
以上のように、釣り用仕掛け５０は、距離ａを調節することができる構成を備えていなくとも、所望の位置に枝糸４８ａ及び４８ｂを繋げることができるため、餌魚２０を安定して保持することができる。
【００６２】
また、距離ａを調節する機構も備えている場合は、距離ａ及びｃの双方を適宜調節して使用することができる。
【００６３】
（その他の実施の形態）
上記の実施の形態１乃至３においては、釣針１２及び４２は４本の針で構成されていたが、本発明はこれに限定されるわけではない。例えば、１本又は４本以外の複数本であってもよい。
【００６４】
上記の実施の形態１乃至３においては、棒状部材１１及び４１は、例えば蓄光剤等を用いた発光体を有していても良い。発光体を有する棒状部材１１及び４１を使用すると、光に誘引される性質がある太刀魚が棒状部材１１及び４１に引き寄せられるため、集魚効果を上げることができる。
【００６５】
実施の形態２及び３においては、２本の補助用釣針４７ａ及び４７ｂを備えていたが本発明はこれに限定されるわけではない。補助用釣針は、１本でも３本以上でも良い。例えば、補助用釣針を１本使用した場合は、釣針４２で餌魚２０の腹部または頭部付近を取り付け、１本の補助用釣針で、尾部付近を取り付けても良い。また、補助用釣針を３本以上使用する場合は、餌魚２０の体長に合わせてバランス良く取り付けたらよい。
【００６６】
なお、上記の各実施の形態は適宜組み合わせることが可能である。
【産業上の利用可能性】
【００６７】
本発明の釣り用仕掛けは、魚釣りを行う際に有用な釣り用仕掛けである。
【符号の説明】
【００６８】
１ 釣り用仕掛け
１１  棒状部材
１２  釣針
１３  ハリス
３０  釣り用仕掛け
４１  棒状部材
４２  釣針
４３  幹糸
４４ａ，４４ｂ  孔
４５  連結具
４６  道糸
４７ａ，４７ｂ  補助用釣針
４８ａ，４８ｂ  枝糸
５０  釣り用仕掛け
【図１】
2010227081.tif 000003
【図２】
2010227081.tif 000004
【図３】
2010227081.tif 000005
【図４】
2010227081.tif 000006
【図５】
2010227081.tif 000007